(57)【要約】【課題】  簡便に、かつ正確に取り付けることができる光ファイバーセンサー設置装置を提供する。【解決手段】  光ファイバーセンサーの設置装置において、磁性を有する対象物３と、この対象物３に固定される磁性吸着体からなる台座２と、この台座２上に装着される光ファイバーセンサー１とを具備する。【選択図】  図１
2011145102.tif 000002
【特許請求の範囲】
【請求項１】
（ａ）磁性を有する対象物と、
（ｂ）該対象物に固定される磁性吸着体からなる台座と、
（ｃ）該台座に装着される光ファイバーセンサーとを具備することを特徴とする光ファイバーセンサーの設置装置。
【請求項２】
請求項１記載の光ファイバーセンサーの設置装置において、前記台座には前記光ファイバーセンサーを保持するための溝を備えることを特徴とする光ファイバーセンサーの設置装置。
【請求項３】
請求項１記載の光ファイバーセンサーの設置装置において、前記対象物が腹起こしに用いられるＨ型鋼であることを特徴とする光ファイバーセンサーの設置装置。
【請求項４】
請求項１記載の光ファイバーセンサーの設置装置において、前記対象物が壁面に配置される磁性部材であることを特徴とする光ファイバーセンサーの設置装置。
【請求項５】
請求項１記載の光ファイバーセンサーの設置装置において、前記対象物がレールであり、該レールの側面に前記光ファイバーセンサーを配置することを特徴とする光ファイバーセンサーの設置装置。
【請求項６】
請求項１記載の光ファイバーセンサーの設置装置において、前記台座がマグネット台座であることを特徴とする光ファイバーセンサーの設置装置。
【請求項７】
請求項１記載の光ファイバーセンサーの設置装置において、前記台座が電磁石型マグネット台座であることを特徴とする光ファイバーセンサーの設置装置。
【発明の詳細な説明】
【技術分野】
【０００１】
本発明は、光ファイバーセンサーの設置装置に係り、例えば、壁面や地中における傾斜計測などに用いる光ファイバーセンサーの設置装置に関するものである。
【背景技術】
【０００２】
従来、光ファイバーセンサーは各種分野で適用が進められているが、現状では光ファイバーを接着剤などで対象物に装着させるようにしている。
また、本願発明者らは、既にレールの側面に光ファイバーセンサーを配置して軌道狂いを迅速に計測する装置を提案している（下記特許文献１参照）。
【先行技術文献】
【特許文献】
【０００３】
【特許文献１】特開２００３−１３９５０８号公報
【発明の概要】
【発明が解決しようとする課題】
【０００４】
上記したように、現状の光ファイバーは接着剤などを用いて対象物に配置するようにしているため、人手がかかり、また取り付け状態にも個人差ができ、センサーの精度に影響を与える可能性があった。
本発明は、上記状況に鑑みて、簡便に、かつ正確に取り付けることができる光ファイバーセンサー設置装置を提供することを目的とする。
【課題を解決するための手段】
【０００５】
本発明は、上記目的を達成するために、
〔１〕光ファイバーセンサーの設置装置において、磁性を有する対象物と、この対象物に固定される磁性吸着体からなる台座と、この台座に装着される光ファイバーセンサーとを具備することを特徴とする。
〔２〕上記〔１〕記載の光ファイバーセンサーの設置装置において、前記台座には前記光ファイバーセンサーを保持するための溝を備えることを特徴とする。
【０００６】
〔３〕上記〔１〕記載の光ファイバーセンサーの設置装置において、前記対象物が腹起こしに用いられるＨ型鋼であることを特徴とする。
〔４〕上記〔１〕記載の光ファイバーセンサーの設置装置において、前記対象物が壁面に配置される磁性部材であることを特徴とする。
〔５〕上記〔１〕記載の光ファイバーセンサーの設置装置において、前記対象物がレールであり、このレールの側面に前記光ファイバーセンサーを配置することを特徴とする。
【０００７】
〔６〕上記〔１〕記載の光ファイバーセンサーの設置装置において、前記台座がマグネット台座であることを特徴とする。
〔７〕上記〔１〕記載の光ファイバーセンサーの設置装置において、前記台座が電磁石型マグネット台座であることを特徴とする。
【発明の効果】
【０００８】
本発明によれば、光ファイバーセンサーを、簡便に、かつ正確に取り付けることができる。
【図面の簡単な説明】
【０００９】
【図１】本発明の実施例を示す光ファイバーセンサーの設置装置の構成図である。
【図２】本発明の第１実施例を示す光ファイバーセンサーの配置を示す図である。
【図３】本発明の第２実施例を示す光ファイバーセンサーの配置を示す図である。
【図４】本発明の第３実施例を示す光ファイバーセンサーの配置を示す図である。
【図５】本発明の第３実施例を示す光ファイバーセンサーの配置を示す断面図である。
【図６】本発明の第４実施例を示す光ファイバーセンサーの配置を示す図である。
【発明を実施するための形態】
【００１０】
本発明の光ファイバーセンサーの設置装置は、磁性を有する対象物と、この対象物に固定される磁性吸着体からなる台座と、この台座に装着される光ファイバーセンサーとを具備する。
【実施例】
【００１１】
以下、本発明の実施の形態について詳細に説明する。
図１は本発明の実施例を示す光ファイバーセンサーの設置装置の構成図である。
この図において、１は光ファイバーセンサー、２は光ファイバーセンサー１を装着する磁性吸着体としてのマグネット台座、３は光ファイバーセンサー１を装着したマグネット台座２が固定される対象物としての磁性部材である。
【００１２】
このように光ファイバーセンサー１をマグネット台座２に装着しておくことで対象物である磁性部材３に沿わせた状態で簡単に配置することができる。なお、マグネット台座２への光ファイバーセンサー１の固定は、接着などにより工場や現場などで容易に実施できる。また、マグネット台座２には光ファイバーセンサー１を保持しやすいように円形又は三角形の溝（図示なし）を形成するようにしてもよい。
【００１３】
図２は本発明の第１実施例を示す光ファイバーセンサーの配置を示す図である。
土留工や仮締切りなどに使用される板状の矢板のうち、鋼製のものを鋼矢板という。特に、鋼矢板を地盤の壁面に一列に打設して、土留めや締切りなどに用いたものを鋼矢板土留めという。
図２に示すように、地盤１４には鋼矢板１３が打設され、腹起こし（Ｈ型鋼）１５が接地される。この実施例では、この腹おこし１５上に、光ファイバーセンサー１１を装着した磁性体吸収体としてのマグネット台座１２を磁力により貼り付ける。また、相対する腹起こし１５間には切ばり１６が施工されており、この切ばり１６上にもマグネット台座１２に配置した光ファイバーセンサー１１を設置することができる。
【００１４】
このように、光ファイバーセンサー１１とマグネット台座１２を一体化させた構成としたので、光ファイバーセンサー１１を迅速に、かつ正確に腹起こし１５又は切ばり１６に配置することができる。
図３は本発明の第２実施例を示す光ファイバーセンサーの配置を示す図である。
この図に示すように、構造体２４の一部に設けられる対象物としての磁性板２３に、光ファイバーセンサー２１が実装される磁性吸着体としてのマグネット台座２２を磁力により固定することにより、光ファイバーセンサー２１を配置することができる。
【００１５】
図４は本発明の第３実施例を示す光ファイバーセンサーの配置を示す図、図５はその断面図である。
この実施例では、軌道狂いを計測するためにレールの側面に光ファイバーセンサ３１を設置する。図４，図５に示すように、まくらぎ３５上には対象物としての磁性を有するレール３３が配置されており、このレール３３の側面３４に光ファイバーセンサー３１を装着した磁性吸着体としてのマグネット台座３２を配置する。したがって、レール３３の側面３４に光ファイバーセンサー３１を容易に配置することができる。
【００１６】
図６は本発明の第４実施例を示す光ファイバーセンサーの配置を示す図である。
図６に示すように、光ファイバーセンサー４１を装着する磁性吸着体としての電磁石型マグネット台座４２には、電源４２Ａ、ＯＮ・ＯＦＦスイッチ４２Ｂ、電磁石エレメント（コイルエレメント）４２Ｃが設けられる。ＯＮ−ＯＦＦスイッチ４２ＢがＯＮされると、電磁石型マグネット台座４２の磁力により光ファイバーセンサー４１を装着した電磁石型マグネット台座４２を対象物としての磁性板４３に固定することができる。光ファイバーセンサー４１を除去したい場合、ＯＮ−ＯＦＦスイッチ４２ＢをＯＦＦにすることで電磁石型マグネット台座４２の磁力がなくなり、磁性板４３から容易に剥がし、撤去することができる。
【００１７】
また、本発明によれば、上記した光ファイバーセンサーは、計測結果に磁力の影響を全く受けないため、磁力による計測上の問題が全く生じないといった利点を有する。
なお、本発明は上記実施例に限定されるものではなく、本発明の趣旨に基づき種々の変形が可能であり、これらを本発明の範囲から排除するものではない。
【産業上の利用可能性】
【００１８】
本発明の光ファイバーセンサーの設置装置は、光ファイバーセンサーを迅速、かつ的確に設定するツールとして利用することができる。
【符号の説明】
【００１９】
１，１１，２１，３１，４１    光ファイバーセンサー
２，１２，２２，３２，４２    マグネット台座（磁性吸着体）
３    磁性部材
１３    鋼矢板
１４    地盤
１５    腹起こし（Ｈ型鋼）
１６    切ばり
２３，４３    磁性板
２４    構造体
３３    レール
３４    レールの側面
３５    まくらぎ
４２Ａ    電源
４２Ｂ    ＯＮ・ＯＦＦスイッチ
４２Ｃ    電磁石エレメント（コイルエレメント）
【図１】
2011145102.tif 000003
【図２】
2011145102.tif 000004
【図３】
2011145102.tif 000005
【図４】
2011145102.tif 000006
【図５】
2011145102.tif 000007
【図６】
2011145102.tif 000008